(57)【要約】【課題】  電子鍵盤楽器において楽音信号にピッチベンドやモジュレーション等の変調を施すためにホイール操作子やリボン操作子などが用いられている。しかし、これらのホイール操作子等はパネル上の位置が固定されているため、演奏しようとする楽曲によっては、使いづらい場合が生じていた。【解決手段】  ピッチベンド設定ボタン２０−１またはモジュレーション設定ボタン２０−２を押下しながら何れかの鍵を押下すると、押下された鍵がピッチベンド変調キーまたはモジュレーション変調キーに指定される。これらの変調キーが押下されたとしても、鍵に対応する楽音信号は発生されず、発生中の楽音信号に対してピッチベンドまたはモジュレーション等の変調処理が行われる。また、各鍵には青色ＬＥＤおよび赤色ＬＥＤが埋設されており、モジュレーション変調キーは赤色、ピッチベンド変調キーは青色のＬＥＤが点灯される。【選択図】  図３
2007248734.tif 000002
【特許請求の範囲】
【請求項１】
各々が所定の音高に対応する複数の鍵と、供給された演奏情報に応じた楽音信号を生成する音源回路とを有する電子鍵盤楽器において、
ユーザの選択に基づいて、何れか任意の鍵を変調キーとして指定する指定手段と、
前記変調キー以外の鍵である通常キーが押下されると、該通常キーに対応する音高の楽音信号を発生させる演奏情報を前記音源回路に供給する楽音信号発生手段と、
前記変調キーが押下されると、該変調キーに対応する楽音信号を発生させることなく、前記通常キーの押下に対応して発生した楽音信号に対して当該変調キーに対応する変調を行わせる演奏情報を前記音源回路に供給する変調手段と
を有することを特徴とする電子鍵盤楽器。
【請求項２】
前記複数の鍵の各々に対して設けられた表示器と、
前記表示器のうち前記変調キーに対応するものの表示状態を前記通常キーに対するものの表示状態とは異ならせる表示制御手段と
をさらに有することを特徴とする請求項１記載の電子鍵盤楽器。
【請求項３】
前記変調手段は、複数種類の変調態様のうち何れか指定された変調態様に係る演奏情報を前記音源回路に供給するものであり、
前記変調キーは前記複数種類の変調態様毎に割り当てられるものであり、
前記表示制御手段は、前記変調キーに対して割り当てられた変調態様に応じて、前記変調キーに係る表示器の表示態様を異ならせるものである
ことを特徴とする請求項２記載の電子鍵盤楽器。
【請求項４】
各々が所定の音高に対応する複数の鍵と、供給された演奏情報に応じた楽音信号を生成する音源回路と、処理装置とを有する電子鍵盤楽器に適用されるプログラムにおいて、
ユーザの選択に基づいて、何れか任意の鍵を変調キーとして指定する指定過程と、
前記変調キー以外の鍵である通常キーが押下されると、該通常キーに対応する音高の楽音信号を発生させる演奏情報を前記音源回路に供給する楽音信号発生過程と、
前記変調キーが押下されると、該変調キーに対応する楽音信号を発生させることなく、前記通常キーの押下に対応して発生した楽音信号に対して当該変調キーに対応する変調を行わせる演奏情報を前記音源回路に供給する変調過程と
を前記処理装置に実行させることを特徴とするプログラム。
【発明の詳細な説明】
【技術分野】
【０００１】
本発明は、楽音信号にピッチベンドやモジュレーション等の変調を施すために用いて好適な電子鍵盤楽器およびプログラムに関する。
【背景技術】
【０００２】
従来より、電子鍵盤楽器においては、鍵盤とともにホイール操作子やリボン操作子などを有するものがある（特許文献１）。このような電子鍵盤楽器においては、鍵盤を操作して楽音信号を発生させるとともに、ホイール操作子やリボン操作子等を用いて、該楽音信号にピッチベンドやモジュレーション等の変調を施すことが可能である。また、特許文献２，３においては、電子鍵盤楽器の各鍵の内部または近傍にガイドランプを設け、ユーザが押鍵すべき鍵を演奏データに基づいて表示する演奏ガイド技術が開示されている。
【０００３】
【特許文献１】特開平１０−３２６０９３号公報
【特許文献２】特開２００１−９２４５６号公報
【特許文献３】特開２００４−２７９６５８号公報
【発明の開示】
【発明が解決しようとする課題】
【０００４】
しかし、ホイール操作子やリボン操作子等が配置されている位置は電子楽器毎に固定されているため、演奏しようとする楽曲によっては、ホイール操作子等が使いづらい場合が生じていた。例えば、電子鍵盤楽器の操作パネル上において、ホイール操作子が鍵盤の左側に設けられていたとする。この電子鍵盤楽器において左手パートの鍵盤演奏を行いながらホイール操作子等を操作しようとすると、ユーザは右手を左手とクロスさせながらホイール操作子等を右手で操作しなければならなかった。
この発明は上述した事情に鑑みてなされたものであり、楽曲に応じて最適な操作態様でピッチベンド、モジュレーション等の変調操作を行うことができる電子鍵盤楽器およびプログラムを提供することを目的としている。
【課題を解決するための手段】
【０００５】
上記課題を解決するため本発明にあっては、下記構成を具備することを特徴とする。なお、括弧内は例示である。
請求項１記載の電子鍵盤楽器にあっては、各々が所定の音高に対応する複数の鍵と、供給された演奏情報に応じた楽音信号を生成する音源回路（２２）とを有する電子鍵盤楽器において、ユーザの選択に基づいて、何れか任意の鍵を変調キーとして指定する指定手段（ＳＰ６，ＳＰ１０）と、前記変調キー以外の鍵である通常キーが押下されると、該通常キーに対応する音高の楽音信号を発生させる演奏情報を前記音源回路（２２）に供給する楽音信号発生手段（２２，ＳＰ１６）と、前記変調キーが押下されると、該変調キーに対応する楽音信号を発生させることなく、前記通常キーの押下に対応して発生した楽音信号に対して当該変調キーに対応する変調を行わせる演奏情報を前記音源回路（２２）に供給する変調手段（２２，ＳＰ１４）とを有することを特徴とする。
さらに、請求項２記載の構成にあっては、請求項１記載の電子鍵盤楽器において、前記複数の鍵の各々に対して設けられた表示器（ＬＥＤ３２，３４，４２，４４）と、前記表示器のうち前記変調キーに対応するものの表示状態（点灯）を前記通常キーに対するものの表示状態（消灯）とは異ならせる表示制御手段（ＳＰ８，ＳＰ１０，１４）とをさらに有することを特徴とする。
さらに、請求項３記載の構成にあっては、請求項２記載の電子鍵盤楽器において、前記変調手段（２２，ＳＰ１４）は、複数種類の変調態様（モジュレーション、ピッチベンド等）のうち何れか指定された変調態様に係る演奏情報を前記音源回路（２２）に供給するものであり、前記変調キーは前記複数種類の変調態様毎に割り当てられるものであり、前記表示制御手段（ＳＰ８，ＳＰ１０，１４）は、前記変調キーに対して割り当てられた変調態様（モジュレーション、ピッチベンド等）に応じて、前記変調キーに係る表示器の表示態様を異ならせる（青色ＬＥＤの点灯または赤色ＬＥＤを点灯させる）ものであることを特徴とする。
また、請求項４記載のプログラムにあっては、各々が所定の音高に対応する複数の鍵と、供給された演奏情報に応じた楽音信号を生成する音源回路（２２）と、処理装置（２）とを有する電子鍵盤楽器に適用されるプログラムにおいて、ユーザの選択に基づいて、何れか任意の鍵を変調キーとして指定する指定過程（ＳＰ６，ＳＰ１０）と、前記変調キー以外の鍵である通常キーが押下されると、該通常キーに対応する音高の楽音信号を発生させる演奏情報を前記音源回路（２２）に供給する楽音信号発生過程（ＳＰ１６）と、前記変調キーが押下されると、該変調キーに対応する楽音信号を発生させることなく、前記通常キーの押下に対応して発生した楽音信号に対して当該変調キーに対応する変調を行わせる演奏情報を前記音源回路（２２）に供給する変調過程（ＳＰ１４）とを前記処理装置（２）に実行させることを特徴とする。
【発明の効果】
【０００６】
このように、本発明によれば、ユーザの選択に基づいて何れか任意の鍵を変調キーとして指定できるから、楽曲に応じて、最適な鍵を変調キーに指定することができ、最適な操作態様でピッチベンド、モジュレーション等の変調操作を行うことができる。
【発明を実施するための最良の形態】
【０００７】
1．実施例の構成
次に、本発明の一実施例の電子鍵盤楽器の構成を図１を参照し説明する。
図において、２はＣＰＵであり、ＲＯＭ４に記憶されたプログラムに従って、バス８を介して他の構成要素を制御する。６はＲＡＭであり、ＣＰＵ２のワークメモリとして使用される。１２はコントローラであり、ホイール操作子、リボン操作子等から構成されている。１０はコントローラスキャン回路であり、コントローラ１２の操作状態を検出する。１６は鍵盤であり、その操作状態は鍵盤スキャン回路１４によって検出される。鍵盤１６においては、キーオン／キーオフ状態および押鍵速度を検出するキーセンサの他、各鍵のアフタータッチ、すなわちユーザが鍵を押下している強さを検出するアフタータッチセンサも設けられている。鍵盤スキャン回路１４においては、これらキーセンサおよびアフタータッチセンサの出力信号が検出されることになる。また、詳細は後述するが、鍵盤１６の各鍵にはＬＥＤが内蔵されている。鍵盤スキャン回路１４は、ＣＰＵ２の制御の下、これらＬＥＤの点灯制御も行うものである。
【０００８】
２０は操作パネルであり、様々なパラメータを設定するボタン、ノブ等の操作子から構成されている。操作パネル２０の操作状態はパネルスキャン回路１８によって検出される。２２は音源回路であり、ＣＰＵ２から供給された演奏情報に基づいて、波形メモリ２４の内容を読み出しつつ楽音信号を生成する。この演奏情報にはピッチベンド、モジュレーション等のイベントも含まれている。２６はＤＳＰであり、ＣＰＵ２からの指示に基づいて、該楽音信号に対して各種効果処理等を施す。２８はオーディオ回路であり、ＤＳＰ２６から出力された楽音信号をアナログ信号に変換し、スピーカ等を介して発音する。
【０００９】
次に、鍵盤１６を構成する各鍵の構造を図２を参照し説明する。図２において３０は白鍵、４０は黒鍵であり、これらは半透明のプラスチックによって形成されている。白鍵３０の上板３０ａは長方形板状に形成され、上板３０ａの下面の「２」箇所はすり鉢状に切り欠かれ、凹部３０ｂ，３０ｃが形成されている。そして、この凹部３０ｂ，３０ｃには、青色および赤色のＬＥＤ３２，３４が嵌合されている。図示のように、凹部３０ｂ，３０ｃが形成されている箇所は上板３０ａが肉薄になっているため、ＬＥＤ３２，３４が点灯すると、その光は上板３０ａの肉薄部分を透過するから、ユーザはＬＥＤ３２，３４が点灯している旨を視認することができる。一方、ＬＥＤ３２，３４が消灯している場合には、ユーザからはＬＥＤ３２，３４がほとんど見えない状態になる。黒鍵４０も白鍵３０と同様に構成されている。すなわち、黒鍵４０の上板４０ａには凹部４０ｂ，４０ｃが形成され、ここに青色および赤色のＬＥＤ４２，４４が嵌合されている。
【００１０】
次に、操作パネル２０における要部の構成を図３を参照し説明する。図３において鍵盤１６は複数の白鍵および黒鍵から構成されているが、ユーザは、これらの鍵のうち、何れか「１つ」の鍵をモジュレーション操作用に割り当てることができ、相互に隣接する何れか「２つ」の鍵をピッチベンド操作用に割り当てることができる。このように、モジュレーションおよびピッチベンド操作用に割り当てられた鍵を「変調キー」と呼び、それ以外の鍵を「通常キー」と呼ぶ。モジュレーション変調キーにおいては、その内部に装着された赤色ＬＥＤ３４または４４（図２参照）が点灯される。また、ピッチベンド変調キーにおいては、青色ＬＥＤ３２または４２（図２参照）が点灯される。なお、ピッチベンド変調キーのうち左側の鍵はマイナス側のピッチベンド、右側の鍵はプラス側のピッチベンドに割り当てられる。図示の例においては、黒鍵４０−１がモジュレーション変調キーであり、その内部の赤色ＬＥＤ４４−１が点灯されている。また、白鍵３０−１がマイナス側、白鍵３０−２がプラス側のピッチベンド変調キーであり、これらの内部の青色ＬＥＤ３２−１，３２−２が点灯されている。そして、これら以外のＬＥＤは全て消灯されている。
【００１１】
２０−１はピッチベンド設定ボタンであり、ピッチベンド変調キーを指定し、またはその指定を解除するために用いられる。また、２０−２はモジュレーション設定ボタンであり、モジュレーション変調キーを指定し、またはその指定を解除するために用いられる。ピッチベンドまたはモジュレーション変調キーの指定が解除された場合には、「鍵を押下する」という操作によってはピッチベンドまたはモジュレーション操作を行うことができなくなる。従って、かかる場合ピッチベンドまたはモジュレーション操作を行うためには、ユーザは、コントローラ１２などを使用する必要がある。
【００１２】
2．実施例の動作
次に、本実施例の動作を説明する。まず、本実施例において鍵盤１６の何れかの鍵について何らかのキーイベントが発生すると、図４に示すキーイベント処理ルーチンが起動される。ここで、「キーイベント」とは、鍵が押鍵された旨およびベロシティを表すキーオンイベント、鍵が離鍵された旨を表すキーオフイベント、または、ユーザが鍵を押下している強さに変化が生じたときにその強さを表すアフタータッチイベントのうち何れかである。図４において処理がステップＳＰ２に進むと、設定ボタン２０−１，２０−２のうち何れかが押下中であるか否かが判定される。ここで「ＹＥＳ」と判定されると、処理はステップＳＰ４に進み、検出されたキーイベントがキーオンイベントであるか否かが判定される。ここで「ＮＯ」と判定されると、本ルーチンの処理は直ちに終了する。すなわち、設定ボタン２０−１，２０−２が押下されている場合には、キーオンイベント以外のキーイベントは無視される。
【００１３】
一方、ステップＳＰ４において「ＹＥＳ」と判定されると処理はステップＳＰ６に進み、押下された鍵が、現在押下中の設定ボタンに係る変調キーであるか否かが判定される。すなわち、ピッチベンド設定ボタン２０−１が押下されている場合には、押下された鍵がマイナス側またはプラス側のピッチベンド変調キーであるのか否かが判定され、モジュレーション設定ボタン２０−２が押下されている場合には、押下された鍵がモジュレーション変調キーであるのか否かが判定される。
【００１４】
ステップＳＰ６において「ＮＯ」と判定されると、処理はステップＳＰ１０に進み、押下中の設定ボタンに係る変調キーが、押下された鍵に基づいて決定される。その詳細を設定ボタン毎に説明する。まず、ユーザがピッチベンド設定ボタン２０−１を押下しながら、ピッチベンド変調キー以外の鍵を押下した場合には、その押下された鍵がマイナス側のピッチベンド変調キーに割り当てられるとともに、その押下された鍵の右側の鍵がプラス側のピッチベンド変調キーに割り当てられ、これらの鍵に内蔵されている青色ＬＥＤ３２または４２が点灯される。また、ステップＳＰ１０が実行されるまでピッチベンド変調キーが存在したのであれば、これらの鍵は通常キーに戻され、これらの鍵に内蔵されている青色ＬＥＤ３２または４２は消灯される。また、ユーザがモジュレーション設定ボタン２０−２を押下しながら、モジュレーション変調キー以外の鍵を押下した場合には、その押下された鍵がモジュレーション変調キーに割り当てられ、この鍵に内蔵されている赤色ＬＥＤ３４または４４が点灯される。また、ステップＳＰ１０が実行されるまでモジュレーション変調キーが存在したのであれば、この鍵は通常キーに戻され、この鍵に内蔵されている赤色ＬＥＤ３４または４４は消灯される。
【００１５】
一方、ステップＳＰ６において「ＹＥＳ」と判定されると、処理はステップＳＰ８に進み、当該変調キーの設定が解除され、当該鍵が通常キーに戻される。すなわち、ユーザがピッチベンド設定ボタン２０−１を押下しながら、マイナス側またはプラス側のうち何れか一方のピッチベンド用変調キーを押下した場合には、マイナス側およびプラス側のピッチベンド用変調キーの双方の割当が同時に解除され、これら鍵に内蔵されている青色ＬＥＤ３２または４２が消灯状態にされる。これにより、ピッチベンド操作用には何れの鍵も割り当てられない状態になる。また、ユーザがモジュレーション設定ボタン２０−２を押下しながら、モジュレーション変調キーを押下すると、この鍵に対するモジュレーション変調キーの割当が解除され、この鍵に内蔵されている赤色ＬＥＤ３４または４４が消灯状態にされる。これにより、モジュレーション操作用には何れの鍵も割り当てられない状態になる。
【００１６】
このように本実施例によれば、ユーザが設定ボタン２０−１，２０−２を押下しながら所望の鍵を押下することにより、任意の鍵を各変調キーに割り当て、または割当を解除することが可能である。従って、演奏しようとする楽曲毎に「その楽曲では発音されない音高に係る鍵」のうちユーザが操作しやすいものを変調キーに割り当てると好適である。さらに、本実施例においては、変調キーの設定および解除を行う際には楽音は発生されないから、例えば演奏途中においても変調キーの割当を変更することができる。
【００１７】
また、何れの設定ボタン２０−１，２０−２も押下されていない状態で何れかの鍵のキーイベントが発生した場合には、ステップＳＰ２において「ＮＯ」と判定され、処理はステップＳＰ１２に進む。ここでは、キーイベントに係る鍵は変調キーであるか否かが判定される。ここで「ＹＥＳ」と判定されると、処理はステップＳＰ１４に進み、変調キーの操作状態に対応した変調イベントが生成され、該変調イベントが音源回路２２に供給される。ここで、ピッチベンドおよびモジュレーション変調キーに対してはキーオンおよびキーオフイベントは無視され、アフタータッチイベントのみに基づいて変調イベントが生成される。生成された変調イベントは、音源回路２２において発音中の楽音信号のうち、鍵盤１６に係るパートに属する全チャンネルに対して適用されるものであり、音源回路２２においては、これら全チャンネルの楽音信号に対して変調処理が施されることになる。
【００１８】
具体的には、マイナス側のピッチベンド変調キーのアフタータッチイベントが生じた場合には、そのアフタータッチが大きくなるほど楽音信号のピッチが低くなるようなピッチベンドイベントが生成される。逆に、プラス側のピッチベンド変調キーのアフタータッチイベントが生じた場合には、そのアフタータッチが大きくなるほど楽音信号のピッチが高くなるようなピッチベンドイベントが生成される。また、モジュレーション変調キーのアフタータッチイベントが生じた場合には、そのアフタータッチが大きくなるほどベンド量の振幅が大きくなるように、波状にベンド量が変化するピッチベンドイベントが生成される。
【００１９】
また、発生したキーイベントに係る鍵が通常キーであった場合には、ステップＳＰ１２において「ＮＯ」と判定され、処理はステップＳＰ１６に進む。ここでは、当該鍵に対応する音高のイベントが生成される。例えば、当該鍵のキーオンイベントが発生した場合には、対応するノートオンイベントが生成される。これにより、音源回路２２において新たな発音チャンネルが割り当てられ、対応する音高の楽音信号の生成が開始される。また、当該鍵のキーオフイベントが発生した場合には、対応するノートオフイベントが生成される。これにより、音源回路２２においては、対応する発音チャンネルに対して消音処理が開始され、楽音信号の消音とともに該発音チャンネルが解放される。
【００２０】
また、アフタータッチイベントが検出された場合には、例えば音量を増減させる、モジュレーションをかける等、通常キーのアフタータッチイベントに対して予め定められたイベントが生成される。但し、通常キーのアフタータッチイベントに対してモジュレーションが割り当てられていたとしても、当該モジュレーションはその通常キーに係る音高の楽音信号に対してのみ適用されるものである。上述したように、モジュレーション変調キーによるモジュレーションは、鍵盤１６に係るパートに属する全チャンネルに対して適用されるものであるから、通常キーによるモジュレーションとは異なるものである。
【００２１】
3．変形例
本発明は上述した実施例に限定されるものではなく、例えば以下のように種々の変形が可能である。
(1)上記実施例においては、白鍵３０および黒鍵４０を半透明のプラスチックによって使用したが、これら鍵を非透明のプラスチックによって形成し、これら各鍵の表面または各鍵の近傍に各ＬＥＤを埋設するようにしてもよい。
【００２２】
(2)また、上記実施例はＣＰＵ２によって動作するプログラムによってキーイベント処理（図４）を実行したが、このプログラムのみをＣＤ−ＲＯＭ、メモリカード等の記録媒体に格納して頒布し、あるいは伝送路を通じて頒布することもできる。
【００２３】
(3)また、上記実施例においては、生成された変調イベントは鍵盤１６に係るパートに属する全チャンネルに対して適用されるものであるとして述べたが、本発明はこれに限定されるものではない。例えば、多段鍵盤を有する電子鍵盤楽器において、各段に設定した変調キーの操作による変調イベントは、その段の楽音信号にのみ適用するように設定してもよい。また、ある段に設定した変調キーの操作による変調イベントは、他の段の楽音信号に適用するように設定してもよい。また、ある段に設定した変調キーの操作による変調イベントは、全段の楽音信号に適用するように設定してもよい。
【図面の簡単な説明】
【００２４】
【図１】本発明の一実施例の電子鍵盤楽器のブロック図である。
【図２】白鍵３０および黒鍵４０の一部切欠側面図である。
【図３】鍵盤１６および操作パネル２０の要部の平面図である。
【図４】キーイベント処理ルーチンのフローチャートである。
【符号の説明】
【００２５】
２：ＣＰＵ（処理装置）、４：ＲＯＭ、６：ＲＡＭ、８：バス、１０：コントローラスキャン回路、１２：コントローラ、１４：鍵盤スキャン回路、１６：鍵盤、１８：パネルスキャン回路、２０：操作パネル、２０−１：ピッチベンド設定ボタン、２０−２：モジュレーション設定ボタン、２２：音源回路、２４：波形メモリ、２６：ＤＳＰ、２８：オーディオ回路、３０，３０−１，３０−２：白鍵、３０ａ：白鍵の上板、３０ｂ，３０ｃ：凹部、３２，３４，４２，４４：ＬＥＤ、４０，４０−１：黒鍵、４０ａ：黒鍵の上板、４０ｂ，４０ｃ：凹部。
【図１】
2007248734.tif 000003
【図２】
2007248734.tif 000004
【図３】
2007248734.tif 000005
【図４】
2007248734.tif 000006